(57)【要約】【課題】表示パネルの一部が見え難くなることがある場合であっても、広告に関わる全体の情報を確実に伝達することを目的とする。【解決手段】表示処理制御手段であるＣＰＵ１１により、表示パネル２０における遮蔽物によって見えない部分が非表示領域として設定され、該非表示領域を除いた領域に表示領域が設定されると、表示制御手段である表示コントローラ１９により、ＣＰＵ１１によって設定された表示領域に情報が表示されるようにした。【選択図】図１
2013142881.tif 000002
【特許請求の範囲】
【請求項１】
広告に関わる情報を表示する表示パネルを有する情報表示システムであって、
少なくとも前記表示パネルの正面側を撮影する撮影手段と、
該撮影手段によって撮影された画像を基に、少なくとも前記表示パネルの正面側を遮蔽している遮蔽物を認識し、該遮蔽物によって見えない部分を非表示領域として設定し、該非表示領域を除いた領域に表示領域を設定する表示処理制御手段と、
該表示処理制御手段によって設定された前記表示領域に前記情報を表示させる表示制御手段とを備える
ことを特徴とする情報表示システム。
【請求項２】
前記表示制御手段は、前記表示パネルに格子パターンを表示させ、
前記表示処理制御手段は、前記遮蔽物によって前記格子パターンが見えない部分を特定して前記表示領域を設定する
ことを特徴とする請求項１に記載の情報表示システム。
【請求項３】
前記表示処理制御手段は、
前記格子パターンと前記撮影手段によって撮影された画像との差分を抽出して前記格子パターンが見えない部分の座標を特定する差分抽出手段と、
該差分抽出手段によって特定された前記座標に基づき、前記表示パネルの非表示領域を設定する非表示領域設定手段とを備える
ことを特徴とする請求項２に記載の情報表示システム。
【請求項４】
前記表示処理制御手段は、前記撮影手段によって撮影された現時点での画像と所定時間前の画像との差分を抽出し、前記表示パネルの非表示領域を設定する非表示領域設定手段とを備えることを特徴とする請求項１に記載の情報表示システム。
【請求項５】
前記表示処理制御手段は、予め設定された所定時間において、継続して遮蔽物があると認識した場合に前記非表示領域と前記表示領域とを設定することを特徴とする請求項１に記載の情報表示システム。
【請求項６】
広告に関わる情報を表示する表示パネルを有する情報表示装置であって、
少なくとも前記表示パネルの正面側を撮影する撮影手段によって撮影された画像を基に、少なくとも前記表示パネルの正面側を遮蔽している遮蔽物を認識し、該遮蔽物によって見えない部分を非表示領域として設定し、該非表示領域を除いた領域に表示領域を設定する表示処理制御手段と、
該表示処理制御手段によって設定された前記表示領域に前記情報を表示させる表示制御手段とを備える
ことを特徴とする情報表示装置。
【請求項７】
前記表示制御手段は、前記表示パネルに格子パターンを表示させ、
前記表示処理制御手段は、前記遮蔽物によって前記格子パターンが見えない部分を特定して前記表示領域を設定する
ことを特徴とする請求項６に記載の情報表示装置。
【請求項８】
前記表示処理制御手段は、
前記格子パターンと前記撮影手段によって撮影された画像との差分を抽出して前記格子パターンが見えない部分の座標を特定する差分抽出手段と、
該差分抽出手段によって特定された前記座標に基づき、前記表示パネルの非表示領域を設定する非表示領域設定手段とを備える
ことを特徴とする請求項７に記載の情報表示装置。
【請求項９】
前記表示処理制御手段は、前記撮影手段によって撮影された現時点での画像と所定時間前の画像との差分を抽出し、前記表示パネルの非表示領域を設定する非表示領域設定手段とを備えることを特徴とする請求項６に記載の情報表示装置。
【請求項１０】
前記表示処理制御手段は、予め設定された所定時間において、継続して遮蔽物があると認識した場合に前記非表示領域と前記表示領域とを設定することを特徴とする請求項６に記載の情報表示装置。
【請求項１１】
表示パネルに対して情報を表示させる情報表示方法であって、
表示処理制御手段により、少なくとも前記表示パネルの正面側を撮影する撮影手段によって撮影された画像を基に、少なくとも前記表示パネルの正面側を遮蔽している遮蔽物を認識し、該遮蔽物によって見えない部分を非表示領域として設定し、該非表示領域を除いた領域に表示領域を設定し、
表示制御手段により、前記表示処理制御手段によって設定された前記表示領域に前記情報を表示させる
ことを特徴とする情報表示方法。
【請求項１２】
前記表示制御手段により、前記表示パネルに格子パターンを表示させ、
前記表示処理制御手段により、前記遮蔽物によって前記格子パターンが見えない部分を特定して前記表示領域を設定する
ことを特徴とする請求項１１に記載の情報表示方法。
【請求項１３】
前記表示処理制御手段の差分抽出手段により、前記格子パターンと前記撮影手段によって撮影された画像との差分を抽出して前記格子パターンが見えない部分の座標を特定し、
前記表示処理制御手段の非表示領域設定手段により、前記差分抽出手段によって特定された前記座標に基づき、前記表示パネルの非表示領域を設定する
ことを特徴とする請求項１２に記載の情報表示方法。
【請求項１４】
前記表示処理制御手段の表示領域設定手段により、前記撮影手段によって撮影された現時点での画像と所定時間前の画像との差分を抽出し、前記表示パネルの非表示領域を設定することを特徴とする請求項１１に記載の情報表示方法。
【請求項１５】
前記表示処理制御手段により、予め設定された所定時間において、継続して遮蔽物があると認識した場合に前記非表示領域と前記表示領域とを設定することを特徴とする請求項１１に記載の情報表示方法。
【発明の詳細な説明】
【技術分野】
【０００１】
本発明は、広告等の情報を配信する情報表示システム、情報表示装置及び情報表示方法に関する。
【背景技術】
【０００２】
たとえば、情報表示システムとしてのデジタルサイネージは、屋外、交通機関、店頭、公共施設等の場所で、広告に関わる情報をテレビ等の表示パネルを介して提供する電子広告看板である。このような電子広告看板を利用することにより、テレビ等の表示パネルの設置場所での時間帯によって変わるターゲットに向けて適切な広告等のサイネージ情報をタイムリーに発信できるため、その発信情報の価値の高さに注目が集まっている。
【０００３】
ところで、従来のデジタルサイネージでは、ネットワーク経由で取得した情報を再生していた。このため、デジタルサイネージ毎に、ネットワークに接続する通信環境が必要となり、通信コストが嵩むという不都合があった。
【０００４】
このような不具合を解消するものとして、特許文献１では、デジタルサイネージが地上デジタル放送波を受信する手段を備え、情報送信手段がデジタルサイネージ向けの情報を地上デジタル放送波にのせて送信し、複数のデジタルサイネージに対し、ネットワークを経由せずに情報を送信することで、通信コストを低減することができるようにしたデジタルサイネージシステムを提案している。
【先行技術文献】
【特許文献】
【０００５】
【特許文献１】特開２０１０−２１９００号公報
【発明の概要】
【発明が解決しようとする課題】
【０００６】
ところが、上述した特許文献１では、デジタルサイネージ向けの情報を地上デジタル放送波にのせて送信することで、通信コストを低減することができるものの、デジタルサイネージの表示パネルに表示される情報を、その表示パネルの周辺に居る人物に対して確実に伝達されないおそれがある。
【０００７】
すなわち、デジタルサイネージの表示パネルは、上述したように、屋外、交通機関、店頭、公共施設等の場所に設置されるものであって、広告に関わる情報を提供するものである。
【０００８】
つまり、多くの人を対象に広告に関わる情報を提供することを目的としたものであることから、その表示パネルの周辺に多くの人が集まることが予測される。この場合、多くの人が集まることで、たとえば表示パネルから離れた位置に居る人物にとって表示パネルの一部が見え難くなることがある。
【０００９】
このように、表示パネルの一部が見え難くなることがあると、広告に関わる情報の一部が隠れてしまうことになり、広告に関わる全体の情報が確実に伝達されないおそれがあることから、表示パネルの一部が見え難くなることがある場合であっても、広告に関わる全体の情報を確実に伝達することができるシステムの開発が望まれていた。
【００１０】
本発明は、このような状況に鑑みてなされたものであり、表示パネルの一部が見え難くなることがある場合であっても、広告に関わる全体の情報を確実に伝達することができる情報表示システム、情報表示装置及び情報表示方法を提供することを目的とする。
【課題を解決するための手段】
【００１１】
本発明の情報表示システムは、広告に関わる情報を表示する表示パネルを有する情報表示システムであって、少なくとも前記表示パネルの正面側を撮影する撮影手段と、該撮影手段によって撮影された画像を基に、少なくとも前記表示パネルの正面側を遮蔽している遮蔽物を認識し、該遮蔽物によって見えない部分を非表示領域として設定し、該非表示領域を除いた領域に表示領域を設定する表示処理制御手段と、該表示処理制御手段によって設定された前記表示領域に前記情報を表示させる表示制御手段とを備えることを特徴とする。
また、前記表示制御手段は、前記表示パネルに格子パターンを表示させ、前記表示処理制御手段は、前記遮蔽物によって前記格子パターンが見えない部分を特定して前記表示領域を設定するようにすることができる。
また、前記表示処理制御手段は、前記格子パターンと前記撮影手段によって撮影された画像との差分を抽出して前記格子パターンが見えない部分の座標を特定する差分抽出手段と、該差分抽出手段によって特定された前記座標に基づき、前記表示パネルの非表示領域を設定する非表示領域設定手段とを備えるようにすることができる。
また、前記表示処理制御手段は、前記撮影手段によって撮影された現時点での画像と所定時間前の画像との差分を抽出し、前記表示パネルの非表示領域を設定する非表示領域設定手段とを備えるようにすることができる。
また、前記表示処理制御手段は、予め設定された所定時間において、継続して遮蔽物があると認識した場合に前記非表示領域と前記表示領域とを設定するようにすることができる。
本発明の情報表示装置は、広告に関わる情報を表示する表示パネルを有する情報表示装置であって、少なくとも前記表示パネルの正面側を撮影する撮影手段によって撮影された画像を基に、少なくとも前記表示パネルの正面側を遮蔽している遮蔽物を認識し、該遮蔽物によって見えない部分を非表示領域として設定し、該非表示領域を除いた領域に表示領域を設定する表示処理制御手段と、該表示処理制御手段によって設定された前記表示領域に前記情報を表示させる表示制御手段とを備えることを特徴とする。
また、前記表示制御手段は、前記表示パネルに格子パターンを表示させ、前記表示処理制御手段は、前記遮蔽物によって前記格子パターンが見えない部分を特定して前記表示領域を設定するようにすることができる。
また、前記表示処理制御手段は、前記格子パターンと前記撮影手段によって撮影された画像との差分を抽出して前記格子パターンが見えない部分の座標を特定する差分抽出手段と、該差分抽出手段によって特定された前記座標に基づき、前記表示パネルの非表示領域を設定する非表示領域設定手段とを備えるようにすることができる。
また、前記表示処理制御手段は、前記撮影手段によって撮影された現時点での画像と所定時間前の画像との差分を抽出し、前記表示パネルの非表示領域を設定する非表示領域設定手段とを備えるようにすることができる。
また、前記表示処理制御手段は、予め設定された所定時間において、継続して遮蔽物があると認識した場合に前記非表示領域と前記表示領域とを設定するようにすることができる。
本発明の情報表示方法は、表示パネルに対して情報を表示させる情報表示方法であって、表示処理制御手段により、少なくとも前記表示パネルの正面側を撮影する撮影手段によって撮影された画像を基に、少なくとも前記表示パネルの正面側を遮蔽している遮蔽物を認識し、該遮蔽物によって見えない部分を非表示領域として設定し、該非表示領域を除いた領域に表示領域を設定し、表示制御手段により、前記表示処理制御手段によって設定された前記表示領域に前記情報を表示させることを特徴とする。
また、前記表示制御手段により、前記表示パネルに格子パターンを表示させ、前記表示処理制御手段により、前記遮蔽物によって前記格子パターンが見えない部分を特定して前記表示領域を設定するようにすることができる。
また、前記表示処理制御手段の差分抽出手段により、前記格子パターンと前記撮影手段によって撮影された画像との差分を抽出して前記格子パターンが見えない部分の座標を特定し、前記表示処理制御手段の非表示領域設定手段により、前記差分抽出手段によって特定された前記座標に基づき、前記表示パネルの非表示領域を設定するようにすることができる。
また、前記表示処理制御手段の表示領域設定手段により、前記撮影手段によって撮影された現時点での画像と所定時間前の画像との差分を抽出し、前記表示パネルの非表示領域を設定するようにすることができる。
また、前記表示処理制御手段により、予め設定された所定時間において、継続して遮蔽物があると認識した場合に前記非表示領域と前記表示領域とを設定するようにすることができる。
本発明の情報表示システム、情報表示装置及び情報表示方法では、表示処理制御手段により、少なくとも表示パネルの正面側を撮影する撮影手段によって撮影された画像を基に、少なくとも表示パネルの正面側を遮蔽している遮蔽物が認識され、該遮蔽物によって見えない部分が非表示領域として設定され、該非表示領域を除いた領域に表示領域が設定されると、表示制御手段により、表示処理制御手段によって設定された表示領域に情報が表示される。
【発明の効果】
【００１２】
本発明の情報表示システム、情報表示装置及び情報表示方法によれば、表示処理制御手段により、表示パネルにおける遮蔽物によって見えない部分が非表示領域として設定され、該非表示領域を除いた領域に表示領域が設定されると、表示制御手段により、表示処理制御手段によって設定された表示領域に情報が表示されるようにしたので、表示パネルの一部が見え難くなることがある場合であっても、広告に関わる全体の情報を確実に伝達することができる。
【図面の簡単な説明】
【００１３】
【図１】本発明の情報表示システムをデジタルサイネージに適用した場合の一実施形態を示す図である。
【図２】図１のデジタルサイネージにおける、情報表示方法を説明するためのフローチャートである。
【図３】図１のデジタルサイネージにおける、非表示領域の特定について説明するための図である。
【図４】図１のデジタルサイネージにおける、情報表示方法の一例を示す図である。
【発明を実施するための形態】
【００１４】
以下、本発明の一実施形態の詳細を、図１〜４を参照して説明する。
まず、図１は、本発明の情報表示システムをデジタルサイネージシステムに適用した場合を示すものであり、符号１０はデジタルサイネージを示し、符号３０は定点カメラを示している。
【００１５】
デジタルサイネージ１０は、画像処理に関わるＣＰＵ１１と、格子パターンデータ格納部１７と、セレクタ１８と、表示コントローラ１９と、表示パネル２０とを有している。
【００１６】
表示処理制御手段としてのＣＰＵ１１は、画像処理に関わるものであり、撮影データ取込部１２と、画像認識部１３と、差分抽出部１４と、非表示領域設定部１５と、画像処理部１６とを有している。
【００１７】
撮影データ取込部１２は、定点カメラ３０によって撮影された撮影データを取り込む。ここで、定点カメラ３０からの撮影データを取り込む場合、無線によって行ってもよいし、有線によって行ってもよい。
【００１８】
画像認識部１３は、撮影データ取込部１２によって取り込まれた撮影データから画像（遮蔽物を含む）を認識する。
【００１９】
差分抽出手段としての差分抽出部１４は、格子パターンデータ格納部１７から格子パターンデータを取り込み、この取り込んだ後述の格子パターン１７ａと画像認識部１３によって認識された画像（遮蔽物を含む）との差分を抽出する。また、差分抽出部１４は、後述の格子パターン１７ａが見えない部分の座標を特定する。なお、後述の格子パターン１７ａが見えない部分の座標の特定は、後述のように縦横に表示される格子パターン１７ａの交点を認識することで行うことができる。
【００２０】
非表示領域設定手段としての非表示領域設定部１５は、差分抽出部１４からの抽出結果から、表示パネル２０の表示領域における非表示領域を設定する。画像処理部１６は、通常映像としての広告に関わる情報を、表示パネル２０で表示できる画像データに変換する。なお、ここでの広告に関わる情報とは、宣伝用の広告情報、緊急速報（緊急地震速報や緊急警報情報等）、一般情報を報知するための報知情報等を含むものである。また、広告に関わる情報としては、動画や静止画の画像情報に限らず、文字等のテキスト情報であってもよいことは勿論である。
【００２１】
格子パターンデータ格納部１７には、表示パネル２０の動作状態を確認するための内蔵テストパターンである後述の格子パターン１７ａを表示させるためのデータが格納されている。
【００２２】
セレクタ１８は、格子パターンデータ格納部１７からの後述の格子パターンデータのみを表示コントローラ１９に出力したり、格子パターンデータ格納部１７からの格子パターンデータと、画像処理部１６からの画像データとを表示コントローラ１９に出力したりする。
【００２３】
この場合、セレクタ１８は、図示しない設定ボタンの操作により、格子パターンデータ格納部１７からの格子パターンデータのみを表示コントローラ１９に出力するか、又は格子パターンデータ格納部１７からの格子パターンデータと、画像処理部１６からの画像データとを表示コントローラ１９に出力するかが設定されるようになっている。
【００２４】
表示制御手段としての表示コントローラ１９は、セレクタ１８から出力された格子パターンデータ及び画像データと、非表示領域設定部１５により設定された非表示領域を示す座標データとに基づき、表示パネル２０における表示領域を決定し、その表示領域に対し画像処理部１６からの画像データに基づいて情報を表示させる。
【００２５】
表示パネル２０は、表示コントローラ１９による表示制御により、所定の表示領域に画像処理部１６からの画像データに基づいた情報を表示する。撮影手段としての定点カメラ３０は、表示パネル２０の表面側に固定配置され、少なくとも表示パネル２０を常時撮影し、その撮影データをリアルタイムでデジタルサイネージ１０に転送する。
【００２６】
次に、表示パネル２０に対する表示制御について説明する。まず、図２に示すように、セレクタ１８を介し、格子パターンデータ格納部１７から格子パターンデータが取り込まれて表示コントローラ１９に出力される（ステップＳ１）。この場合、セレクタ１８は、図示しない設定ボタンの操作により、格子パターンデータ格納部１７からの格子パターンデータのみを表示コントローラ１９に出力するように設定される。
【００２７】
次いで、表示コントローラ１９による表示制御により、たとえば図３に示すように、表示パネル２０に縦横の格子パターン１７ａが表示される（ステップＳ２）。
【００２８】
この時点で、定点カメラ３０は既に、少なくとも表示パネル２０を撮影しており（ステップＳ３）、その撮影データがリアルタイムでＣＰＵ１１に転送される（ステップＳ４）。このとき、たとえば図３に示すように、表示パネル２０の手前に遮蔽物が存在している場合は、その遮蔽物も撮影されることになる。なお、定点カメラ３０からの撮影データの転送は、所定時間毎に間欠的に行われるようにしてもよい。
【００２９】
このとき、ＣＰＵ１１の画像認識部１３により撮影データからの画像（遮蔽物を含む）が認識されると、差分抽出部１４により格子パターンデータ格納部１７からの格子パターン１７ａと画像認識部１３によって認識された画像（遮蔽物を含む）との差分が抽出され、さらに格子パターン１７ａが見えない部分の座標が特定される（ステップＳ５）。
【００３０】
次いで、非表示領域設定部１５により、差分抽出部１４からの抽出結果から、表示パネル２０の表示領域における非表示領域が設定される（ステップＳ６）。
【００３１】
その非表示領域が設定されると、表示コントローラ１９により、セレクタ１８から出力された格子パターンデータ格納部１７からの格子パターンデータ及び画像処理部１６からの画像データと、非表示領域設定部１５により設定された非表示領域を示す座標データとに基づき、表示パネル２０における表示領域を決定し、その表示領域に対し画像処理部１６からの画像データに基づいて情報を表示させる（ステップＳ７）。
【００３２】
以上のような手順により、たとえば図４に示すような表示制御が行われる。すなわち、定点カメラ３０により少なくとも表示パネル２０が撮影されているとする。このとき、表示パネル２０の手前には、遮蔽物とされる人垣Ｂと物体Ｃとが存在しているとする。
【００３３】
この場合、人垣Ｂと物体Ｃとにより、人物Ａにとっては表示パネル２０の一部が見えなくなっている。そこで、人垣Ｂと物体Ｃとにより見えなくなっている表示パネル２０の領域が非表示領域設定部１５により設定される。
【００３４】
ここで、その非表示領域設定部１５により設定された領域は、たとえば人垣Ｂにより隠れている非表示領域２０ｂと、物体Ｃにより隠れている非表示領域２０ｃとされる。ここで、表示パネル２０でのアスペクト比がたとえば１６：９である場合、表示サイズを小さくしてそのアスペクト比での表示が可能な表示領域２０ａが設定され、その表示領域２０ａに広告に関わる全体の情報が表示されることになる。
【００３５】
これにより、人物Ａは、表示パネル２０の一部が人垣Ｂや物体Ｃによって見えない場合であっても、表示パネル２０には非表示領域２０ｂ、２０ｃを除いた領域である表示領域２０ａに表示される広告に関わる全体の情報を見ることができる。
【００３６】
なお、表示パネル２０における表示領域２０ａの位置は、図４に示すように、右側に寄った箇所に限らず、表示パネル２０における中央又は左側に寄った箇所であってもよい。
【００３７】
また、表示パネル２０でのアスペクト比は必ずしも１６：９に限定されるものではなく、その表示領域２０ａに表示される広告に関わる情報の内容に応じて適宜変更することができる。また、表示パネル２０における表示領域２０ａや非表示領域２０ｂ、２０ｃにあっては、予め設定された所定時間において、継続して遮蔽物があると判断された場合に決定するようにしてもよい。これにより、表示パネル２０における表示領域２０ａや非表示領域２０ｂ、２０ｃが頻繁に変更されることを抑制することができる。
【００３８】
また、たとえば非表示領域２０ｂ、２０ｃにあっては、人物Ａには見えないものの、人垣Ｂの人物には見えるため、その人垣Ｂの人物に対して、たとえば広告に関わる情報表示の妨げとならないように呼びかけるようなメッセージを表示させるようにしてもよい。また、人垣Ｂの人物にとっては、表示パネル２０に近いために表示される内容の全体が見えにくいものと予測されることから、非表示領域２０ｂ等に表示パネル２０に表示される内容の縮小画像を表示させるようにしてもよい。
【００３９】
このように、本実施形態では、表示処理制御手段であるＣＰＵ１１により、表示パネル２０における遮蔽物によって見えない部分が非表示領域として設定され、該非表示領域を除いた領域に表示領域が設定されると、表示制御手段である表示コントローラ１９により、ＣＰＵ１１によって設定された表示領域に情報が表示されるようにしたので、表示パネル２０の一部が見え難くなることがある場合であっても、広告に関わる全体の情報を確実に伝達することができる。
【００４０】
なお、本実施形態では、ＣＰＵ１１の画像認識部１３により撮影データからの画像（遮蔽物を含む）が認識されると、差分抽出部１４により格子パターンデータ格納部１７からの格子パターン１７ａと画像認識部１３によって認識された画像（遮蔽物を含む）との差分が抽出され、さらに格子パターン１７ａが見えない部分の座標が特定されることで、非表示領域設定部１５により、差分抽出部１４からの抽出結果から、表示パネル２０の表示領域における非表示領域が設定される場合について説明したが、この例に限らず、たとえば撮影データからの画像（遮蔽物を含む）において、現時点での画像と所定時間前の画像との比較による差分から、表示パネル２０の表示領域における非表示領域が設定されるようにしてもよい。
【符号の説明】
【００４１】
１０  デジタルサイネージ
１１  ＣＰＵ
１２  撮影データ取込部
１３  画像認識部
１４  差分抽出部
１５  非表示領域設定部
１６  画像処理部
１７  格子パターンデータ格納部
１７ａ  格子パターン
１８  セレクタ
１９  表示コントローラ
２０  表示パネル
２０ａ  表示領域
２０ｂ、２０ｃ  非表示領域
２０ｃ  非表示領域
３０  定点カメラ
【図１】
2013142881.tif 000003
【図２】
2013142881.tif 000004
【図３】
2013142881.tif 000005
【図４】
2013142881.tif 000006